(57)【要約】【課題】本発明は各種音響機器に使用される薄型のスピーカに関するものであり、磁気効率を損ねることなく、品質の向上を図ったスピーカを提供するものである。【解決手段】本発明のスピーカは、壁面に放射状の複数のスリット１ａを有する有底のヨーク１を用い、このスリット１ａ内を上下動する補強片１５ｄを有するカップリング１５の橋絡部１５ｃに挿入孔１５ｆを、フランジ１５ｅにボイスコイルリード４ａの位置決め手段となる切り欠き１５ｇを設けることで、ボイスコイルリード４ａが前記補強片１５ｄに沿って密着して引き出されるようにし、スリット１ａの幅を広げることなく前記リード４ａのスリット１ａ内への配設を可能として磁気効率の低下を抑制し、カップリング１５表面での前記リード４ａの露出を抑制し、他部品との接触による断線等の障害を回避した優れたスピーカの提供を可能としたものである。【選択図】　図１
2004128642.tif 000002
【特許請求の範囲】
【請求項１】
壁面に放射状の複数のスリットを有する有底のヨークとこのヨークの底面に前記壁面との間に隙間を設けて接着結合された磁石を有する磁気回路と、この磁気回路に形成された磁気ギャップに嵌め込まれるボイスコイルと、このボイスコイルの外周と結合される内周部と前記ヨークの外周に位置する外周部とこの内周部と外周部を接続する橋絡部と前記ヨークのスリットに挿入され前記内周部と前記外周部を連絡した補強片とからなるカップリングと、内周が前記カップリングの外周に結合され、外周が前記磁気回路に結合されたフレームの外周に接着結合される振動板と、内周が前記カップリングの外周に結合され、外周が前記フレームに接合結合されるダンパーとで構成されたスピーカであって、前記カップリングにはボイスコイルの引出線が前記補強片に沿って引き出されるように前記橋絡部に前記引き出し線の挿入孔を設け、前記外周部に位置決め手段を設けたスピーカ。
【請求項２】
壁面に放射状の複数のスリットを有する有底のヨークとこのヨークの底面に前記壁面との間に隙間を設けて接着結合された磁石を有する磁気回路と、この磁気回路に形成された磁気ギャップに嵌め込まれるボイスコイルと、このボイスコイルの外周と結合される内周部と前記ヨークの外周に位置する外周部とこの内周部と外周部を接続する橋絡部と前記ヨークのスリットに挿入され前記内周部と前記外周部を連絡した補強片と前記外周部の下端に設けられたフランジからなるカップリングと、内周が前記カップリングの外周に結合され、外周が前記磁気回路に結合されたフレームの外周に接着結合される振動板と、内周が前記カップリングの外周に結合され、外周が前記フレームに接着結合されるダンパーとで構成されたスピーカであって、前記カップリングにはボイスコイルの引出線が前記補強片に沿って引き出されるように前記橋絡部に挿入孔を設け、前記フランジに前記引き出し線の位置決め手段を設けたスピーカ。
【請求項３】
フランジに設けたボイスコイルの引出線の位置決め手段の外周部側に前記引き出し線の略線径幅のスリットを設けた請求項２に記載のスピーカ。
【請求項４】
補強片の下端に引き出し線の引っ掛け部を設けた請求項１または請求項２または請求項３に記載のスピーカ。
【発明の詳細な説明】
【０００１】
【発明の属する技術分野】
本発明は各種音響機器に使用されるスピーカに関するものである。
【０００２】
【従来の技術】
近年、車載用音響機器等に使用されるスピーカはその取付場所の制約から薄型化の要求が強まっている。このような従来のスピーカを図７〜図９により説明する。なお、図７（ａ）は従来のスピーカの上面図であり、図７（ｂ）は同側断面図であり、図８（ａ）は同要部であるカップリングの上面図であり、図８（ｂ）は同断面図であり、図９（ａ）は同要部である磁気回路の上面図であり、図９（ｂ）は図９（ａ）のＡ−Ｏ−Ｂ断面図である。
【０００３】
同図によると、１は壁面に放射状の複数のスリット１ａを有する有底のヨークであり、２はこのヨーク１の底面に前記壁面との間に隙間を設けて接着結合された磁石であり、このヨーク１と磁石２と上部プレート２ａで磁気回路３を構成している。
【０００４】
４はこの磁気回路３に形成された磁気ギャップ３ａの嵌め込まれるボイスコイルであり、５はボイスコイル４の外周と結合される内周部５ａと前記ヨーク１の外周に位置する外周部５ｂとこの内周部５ａと外周部５ｂを接続する橋絡部５ｃと前記ヨーク１のスリット１ａに挿入され前記内周部５ａと前記外周部５ｂを連絡した補強片５ｄとからなるカップリングであり（補強片５ｄはカップリング５の剛性を向上させ、振動の伝達ロスを低減する役割も果たしている。）、６は内周が前記カップリング５の外周に結合され、外周のエッジ部６ａを介して前記磁気回路３に結合されたフレーム７の外周に接着結合される振動板であり、８は内周が前記カップリング５の外周に結合され、外周が前記フリーム７に接着結合されるダンパーである。
【０００５】
なお、５ｅは前記カップリング５の外周部５ｂの外周に全周に亘って設けられたフランジであり、前記補強片５ｄと共にカップリング５の変形を防止するものである。また、９はダストキャップであり、４ａはボイスコイル４のコイル部から導出されたボイスコイルリードであり、前記フレーム７に装着されたターミナル１０と一端が接続されたフレキシブルワイヤー１１の他端と接続されている。
【０００６】
以上のように構成されたスピーカでは、外部からの音声信号はターミナル１０を通じてフレキシブルワイヤー１１、ボイスコイルリード４ａを経てボイスコイル４のコイル部に入力され、ボイスコイル４を上下動させ、このボイスコイル４に結合された振動板６を振動させ、発音することとなる。
【０００７】
この時、カップリング５の補強片５ｄが前記ヨーク１のスリット１ａ内を上下動することになり、振動板６の上下動のストロークが稼げ、スピーカの薄型化を可能としたものである（例えば特許文献１参照）。
【０００８】
【特許文献１】
特開２００２−７８０８２号公報（第５−６頁、図１−３）
【０００９】
【発明が解決しようとする課題】
しかしながら、前述のスピーカにおいては、ボイスコイルリード４ａをカップリング５の外部表面を介して振動板６上でフレキシブルワイヤー１１と配線しているためにボイスコイルリード４ａが長い部分で露出し、更にカップリング５と振動板６との接合点で浮いたときに、スピーカの駆動時の振動や組み立て作業、スピーカの取り付け作業時に断線が発生する可能性を有していたため、上記作業が煩雑で組み立て工数の効率の向上が図れないものとなっていた。
【００１０】
本発明は、上記課題を解決して作業工数の向上、品質の安定化を図った優れたスピーカの提供を行うことを目的とするものである。
【００１１】
【課題を解決するための手段】
上記課題を解決するために本発明のスピーカの請求項１に記載のものは、壁面に放射状の複数のスリットを有する有底のヨークと、このスリット内を上下動するカップリングを用いることで薄型化を図ったスピーカにおいて、カップリングにはボイスコイルリードが前記カップリングの補強片に沿って引き出されるようにカップリングの橋絡部に前記ボイスコイルリードの挿入孔とカップリングの外周部に位置決め手段を設けたものであり、前記ボイスコイルリードは橋絡部に設けられた挿入孔に挿入され、補強片に沿って下方に引き出されて外周部の位置決め手段を経てフレキシブルワイヤーと接続されるので、ボイスコイルリードは適度なテンションを加えて引き回されることで、スリットの幅をむやみに広げることなくボイスコイルリードのスリット内引き回しを可能として磁気効率の低下を招くこともなく、また、カップリング表面での露出を抑制して、他部品とボイスコイルリードの接触による断線等の障害を回避できるものである。
【００１２】
また、本発明のスピーカの請求項２に記載のものは、壁面に放射状の複数のスリットを有する有底のヨークと、このスリット内を上下動するカップリングを用いることで薄型化を図ったスピーカにおいて、カップリングにはボイスコイルリードが前記カップリングの補強片に沿って引き出されるようにカップリングの橋絡部およびカップリングの外周部の下端に設けられたフランジにボイスコイルリードの位置決め手段を設けたものであり、請求項１と同様にボイスコイルリードは適度なテンションを加えて引き回されることで、スリットの幅をむやみに広げることなくボイスコイルリードのスリット内引き回しを可能として磁気効率の低下を招くこともなく、また、カップリング表面での露出を抑制して、他部品とボイスコイルリードの接触による断線等の障害を回避できるものである。
【００１３】
本発明のスピーカの請求項３に記載のものは、請求項２に記載のフランジに設けたボイスコイルリードの位置決め手段の外周部側にこのボイスコイルリードの略線径幅のスリットを設けたものであり、スピーカ組み立て時のボイスコイルリードの引き回しをより容易に行えるようにしたものである。
【００１４】
本発明のスピーカの請求項４に記載のものは、請求項１または請求項２または請求項３のカップリングに設けられたヨークのスリット内を上下する補強片の下端にボイスコイルリードの引っ掛け部を設けたものであり、この引っ掛け部にボイスコイルリードを引っ掛けてボイスコイルの引き回しを行うことでスピーカ組み立て時のボイスコイルリードの引き回しをより容易に行えるようにしたものである。
【００１５】
【発明の実施の形態】
以下、本発明のスピーカの一実施の形態について図１（ａ）から図６（ｂ）により説明する。なお、説明にあたって従来技術と同一部分は同一番号を付して説明を省略して説明する。
【００１６】
（実施の形態１）
本発明の一実施の形態のスピーカを図１（ａ）〜図３（ｂ）により説明する。
【００１７】
図１（ａ）は本発明の一実施の形態のスピーカの上面図であり、図１（ｂ）は同要部であるカップリングの部分上面図であり、図２（ａ）は図１（ａ）のＡ−Ｏ−Ｂ断面図であり、図２（ｂ）は同要部であるカップリングの部分断面図であり、図３（ａ）は同カップリングの全体上面図であり、図３（ｂ）は図３（ａ）のＡ−Ｏ−Ｂ断面図であり、同図により主として請求項１および請求項２について説明するものである。
【００１８】
同図により従来技術との相違点についてのみ説明すると、１５はこのボイスコイル４の外周と結合される内周部１５ａと、ヨーク１の外周に位置する外周部１５ｂと、この内周部１５ａと外周部１５ｂを接続する橋絡部１５ｃと、前記ヨーク１のスリット１ａに挿入され前記内周部１５ａと前記外周部１５ｂを連絡した補強片１５ｄと、前記外周部１５ｂの外周に全周に亘って設けられたフランジ１５ｅを有するカップリングであり、更にこのカップリング１５の橋絡部１５ｃの補強片１５ｄとの結合部近傍にはボイスコイル４の引き出し線であるボイスコイルリード４ａが挿入される挿入孔１５ｆが設けられ、前記挿入孔１５ｆの近傍の補強片１５ｄの面を前記フランジ１５ｅに延ばした位置の近傍には切り欠き１５ｇが設けられている。
【００１９】
この挿入孔１５ｆ、切り欠き１５ｇをカップリング１５に設けたことにより、ボイスコイル４の引き出し線であるボイスコイルリード４ａは挿入孔１５ｆに挿入され、この挿入孔１５ｆ近傍の補強片１５ｄに沿って引き出され、切り欠き１５ｇから取り出されてフレキシブルワイヤー１１を介してターミナル１０に接続することになる。
【００２０】
以上のように、上記実施の形態のようにボイスコイルリード４ａを適度なテンションを加えて引き回すことで補強片１５ｄにボイスコイルリード４ａを密着させ、スリット１ａの幅をむやみに広げることなくボイスコイルリード４ａのヨーク１内のスリット１ａ内引き回しを行ってもスリット１ａの幅を広くして磁気効率の低下を招くこともなく、また、カップリング１５表面での露出を抑制して、他部品とボイスコイルリード４ａの接触による断線等の障害を回避できるものである。
【００２１】
更に、挿入孔１５ｆとボイスコイル４からのボイスコイルリード４ａの引き出し位置Ｐを補強片１５ｄを挟む位置関係にした場合は、より補強片１５ｄとボイスコイルリード４ａの密着度を向上させ、スリット１ａ内の引き回しをより磁気効率の低下を招くことを抑制することが可能となる。
【００２２】
なお、補強片１５ｄとボイスコイルリード４ａの密着度を考慮した場合、挿入孔１５ｆ、切り欠き１５ｇ、補強片１５ｄ等においてボイスコイルリード４ａを接着固定することも必要に応じ適宜行うことができる。
【００２３】
また、上記実施の形態では切り欠き１５ｇをフランジ１５ｅに設けたが、フランジを設けていないカップリングにあっては外周部１５ｂに切り欠きを設けても良く、また切り欠きに代えてフランジ１５ｅを設けたものにあってはフランジ１５ｅに、フランジのないものにあっては外周部１５ｂに挿入孔を設けても良く、ボイスコイルリード４ａの位置決め手段として機能するものであればいずれでも良いものである。
【００２４】
また、ダンパー８とカップリング１５の接着固定を上記ボイスコイルリード４ａの配線引き回しより先に行うものにあっては、カップリング１５のフランジ１５ｅに設けた切り欠き１５ｇと対応するダンパー８の位置に同様の切り欠きを設ければ良いものである。
【００２５】
（実施の形態２）
本発明のスピーカの他の実施の形態を図４（ａ），（ｂ）により説明する。図４（ａ）は本発明のスピーカの一実施の形態の要部であるカップリングの上面図であり、図４（ｂ）は図４（ａ）のＡ−Ｏ−Ｂ断面図であり、主として請求項３について説明するものである。
【００２６】
同図により、実施の形態１との相違点のみ説明すると、本実施の形態は実施の形態１のカップリング１５にスリット１５ｈを設けたものである。
【００２７】
このスリット１５ｈは切り欠き１５ｇの内側の外周部側にボイスコイルリード４ａの線径と略同幅のものとして切り欠き１５ｇと連続して設けたものである。このスリット１５ｈによってボイスコイルリード４ａの仮止めを可能として、ボイスコイルリード４ａの引き回し作業の作業性の向上と配線の緩みを防止して配線の安定性を確保するものである。
【００２８】
（実施の形態３）
本発明のスピーカの他の実施の形態を図５（ａ）〜図６（ｂ）により説明する。図５（ａ）は本発明の一実施の形態のスピーカの上面図であり、図５（ｂ）は同要部であるカップリングの部分上面図であり、図６（ａ）は図５（ａ）のＡ−Ｏ−Ｂ断面図であり、図６（ｂ）は同要部であるカップリングの部分断面図であり、同図により主として請求項４について説明するものである。
【００２９】
同図により、実施の形態１との相違点のみ説明すると、カップリング１５の補強片１５ｄの下端にボイスコイルリード４ａの引っ掛け部１５ｊを設けたものであり、カップリング１５の橋絡部１５ｃに設けられた挿入孔１５ｆに挿入されたボイスコイルリード４ａは補強片１５ｄに沿って、補強片１５ｄの下端に引っ掛け部１５ｊで引っ掛けて反対面に引き回した後、フランジ１５ｅの切り欠き１５ｇから引き出してフレキシブルワイヤー１１を介してターミナル１０に接続するようにしたものである。
【００３０】
以上のようにボイスコイルリード４ａを補強片１５ｄの下端の引っ掛け部１５ｊで引っ掛けて引き回した本実施形態においてはボイスコイルリード４ａを一旦引っ掛け部１５ｊで係止するのでボイスコイルリード４ａのテンションを効果的に得ることができ、ボイスコイルリード４ａの補強片１５ｄへの密着の程度をより安定的なものとすることができるものである。
【００３１】
【発明の効果】
以上のように構成した本発明のスピーカは、ボイスコイルリードを補強片に密着させてヨークのスリット内を通るように構成したため、カップリング上での露出部分を少なくして他部品とボイスコイルリードの接触による断線等の障害を回避すると共に、ヨークのスリットの幅をむやみに広げることなくボイスコイルリードのスリット内引き回しを可能として磁気効率の低下を招くこともない優れたスピーカの提供可能とするものである。
【図面の簡単な説明】
【図１】（ａ）本発明の一実施の形態のスピーカの上面図
（ｂ）同要部であるカップリングの部分上面図
【図２】（ａ）図１（ａ）のＡ−Ｏ−Ｂ断面図
（ｂ）同要部であるカップリングの部分断面図
【図３】（ａ）同カップリングの全体上面図
（ｂ）図３（ａ）のＡ−Ｏ−Ｂ断面図
【図４】（ａ）本発明の他の実施の形態のスピーカの要部であるカップリングの上面図
（ｂ）図４（ａ）のＡ−Ｏ−Ｂ断面図
【図５】（ａ）本発明の一実施の形態のスピーカの上面図
（ｂ）同要部であるカップリングの部分上面図
【図６】（ａ）図５（ａ）のＡ−Ｏ−Ｂ断面図
（ｂ）同要部であるカップリングの部分断面図
【図７】（ａ）従来のスピーカの上面図
（ｂ）同側断面図
【図８】（ａ）同要部であるカップリングの上面図
（ｂ）同断面図
【図９】（ａ）同要部である磁気回路の上面図
（ｂ）図９（ａ）のＡ−Ｏ−Ｂ断面図
【符号の説明】
１　ヨーク
１ａ　スリット
２　磁石
３　磁気回路
３ａ　磁気ギャップ
４　ボイスコイル
４ａ　ボイスコイルリード
６　振動板
７　フレーム
８　ダンパー
１５　カップリング
１５ａ　内周部
１５ｂ　外周部
１５ｃ　橋絡部
１５ｄ　補強片
１５ｅ　フランジ
１５ｆ　挿入孔
１５ｇ　切り欠き
１５ｈ　スリット
１５ｊ　引っ掛け部
【図１】
2004128642.tif 000003
【図２】
2004128642.tif 000004
【図３】
2004128642.tif 000005
【図４】
2004128642.tif 000006
【図５】
2004128642.tif 000007
【図６】
2004128642.tif 000008
【図７】
2004128642.tif 000009
【図８】
2004128642.tif 000010
【図９】
2004128642.tif 000011